(57)【特許請求の範囲】
【請求項１】
内容物が収容される有底筒状の容器本体と、
前記容器本体の口部に装着され、前記容器本体内に連通する連通孔が形成された中栓部材と、
前記連通孔を通して前記容器本体内に連通する第１計量室を、前記中栓部材との間に形成するとともに、頂部に前記第１計量室に連通する貫通孔が形成された計量筒部材と、
前記計量筒部材に装着されるとともに、前記貫通孔を閉塞する弾性変形可能な塗布部材と、を備え、
前記塗布部材には、この塗布部材の弾性変形に伴う拡開時に前記貫通孔を開放するスリットが形成され、
前記計量筒部材は、
前記第１計量室と前記連通孔とを連通させる計量位置と、
前記計量位置よりも容器軸方向に沿う前記容器本体の底部側に配置されて、前記第１計量室と前記連通孔との連通を遮断する塗布位置と、の間を前記容器軸方向に移動自在に配設されていることを特徴とする計量塗布容器。
【請求項２】
前記塗布部材は有頂筒状に形成され、その頂壁に前記スリットが形成されるとともに、前記計量筒部材との間に前記貫通孔を通して前記第１計量室に連通する第２計量室が形成されていることを特徴とする請求項１に記載の計量塗布容器。
【請求項３】
前記塗布部材の外周縁部を前記計量筒部材に対して係止する係止部材と、
前記塗布部材を開閉する蓋体と、を備え、
前記蓋体は、前記係止部材に当接して前記塗布部材を囲繞するシール筒を備えることを特徴とする請求項１または２に記載の計量塗布容器。
【発明の詳細な説明】
【技術分野】
【０００１】
本発明は、計量塗布容器に関するものである。
【背景技術】
【０００２】
従来、例えば下記特許文献１に示されるような計量塗布容器が知られている。この計量塗布容器は、人体の頭皮や皮膚等の被塗布部に塗布する薬液等の内容物が収容された有底筒状の容器本体と、容器本体の口部に装着され、容器本体内に連通する連通孔が形成された中栓部材と、連通孔を通して容器本体内に連通する計量室を、中栓部材との間に形成するとともに、上端部に計量室に連通する挿通孔が形成された計量筒部材と、計量室に設けられるとともに、上端が挿通孔から計量室の外部に突出される弁部材と、を備えている。
また弁部材は、計量室と連通孔との連通を遮断し、かつ計量室と挿通孔とを連通させる塗布位置と、塗布位置よりも上方に配置されて、計量室と挿通孔との連通を遮断し、かつ計量室と連通孔とを連通させる計量位置と、の間を上下動自在に設けられている。
【０００３】
この計量塗布容器の内容物を計量して被塗布部に塗布する手順は、以下の通りである。
まず、弁部材を計量位置に配置した状態において、正立姿勢の計量塗布容器を倒立姿勢にして、容器本体から計量室に内容物を流入させる。計量室には、所定量の内容物が収容される。弁部材の上端（先端）を被塗布部に押し付けると、弁部材が塗布位置に移動させられ、連通孔を通した計量室と容器本体との連通が遮断されて、計量が完了する。また、計量塗布容器は挿通孔（弁部材の内部）を通して内容物を塗布可能な状態となる。
この状態から、弁部材の先端を被塗布部に接近させたり接触させたりして、内容物を塗布する。計量室の内容物が挿通孔を通して外部にすべて吐出されることで、計量した内容物の被塗布部への塗布が終了する。
【先行技術文献】
【特許文献】
【０００４】
【特許文献１】特開２００２−３３７９１０号公報
【発明の概要】
【発明が解決しようとする課題】
【０００５】
しかしながら、上記従来の計量塗布容器では、下記の課題があった。
すなわち、弁部材が塗布位置に配置された状態においては、弁部材の内部を通して容器外部に開口する吐出孔が、開いたままの状態（全開状態）となる。このため、計量室内に計量された内容物を吐出するときに、吐出量を調整することができなかった。
また、計量時において弁部材の位置が、塗布位置および計量位置のいずれにあるのかを、操作者が容易に識別できるようにすることに改善の余地があった。
【０００６】
本発明は、このような事情に鑑みてなされたものであって、内容物を吐出するときに吐出量を調整することができ、塗布位置と計量位置との識別が容易に行える計量塗布容器を提供することを目的としている。
【課題を解決するための手段】
【０００７】
上記課題を解決するために、本発明の計量塗布容器は、内容物が収容される有底筒状の容器本体と、前記容器本体の口部に装着され、前記容器本体内に連通する連通孔が形成された中栓部材と、前記連通孔を通して前記容器本体内に連通する第１計量室を、前記中栓部材との間に形成するとともに、頂部に前記第１計量室に連通する貫通孔が形成された計量筒部材と、前記計量筒部材に装着されるとともに、前記貫通孔を閉塞する弾性変形可能な塗布部材と、を備え、前記塗布部材には、この塗布部材の弾性変形に伴う拡開時に前記貫通孔を開放するスリットが形成され、前記計量筒部材は、前記第１計量室と前記連通孔とを連通させる計量位置と、前記計量位置よりも容器軸方向に沿う前記容器本体の底部側に配置されて、前記第１計量室と前記連通孔との連通を遮断する塗布位置と、の間を前記容器軸方向に移動自在に配設されていることを特徴とする。
【０００８】
本発明の計量塗布容器によれば、第１計量室に連通する貫通孔を弾性変形可能な塗布部材が閉塞し、この塗布部材には拡開時に貫通孔を開放するスリットが形成されているため、計量筒部材を塗布位置に位置させた状態で、被塗布部に対する塗布部材の押し付け力を変動させることで、塗布部材の弾性変形量を変化させてスリットが拡開する大きさおよびスリットからの内容物の吐出量を調整することが可能である。
また、この計量塗布容器においては、計量筒部材および塗布部材が一体となって塗布位置および計量位置の間を容器軸方向に移動するため、従来のように計量室内に配設された弁部材のみを上下動させる計量塗布容器に比べて、塗布位置と計量位置との識別が容易に行える。
さらに、この計量塗布容器においては、塗布部材が被塗布部に押し付けられている場合に、弾性変形可能な塗布部材に形成されたスリットが拡開して内容物が吐出されるため、塗布部材が被塗布部から離間している間に内容物が意図せず吐出されてしまうのを抑止することができる。
さらに、塗布部材は弾性変形可能であるため、例えば人体の頭皮や皮膚などの被塗布部に塗布部材を押し付ける際に、押し付けに伴って被塗布部に及ぼされる衝撃や外力等が緩和されて、柔らかな塗布感触を得ることができる。これにより、塗布による不快さや心地悪さを感じることが抑えられて、快適で心地よい塗布を行うことができる。
【０００９】
ここで、前記塗布部材は有頂筒状に形成され、その頂壁に前記スリットが形成されるとともに、前記計量筒部材との間に前記貫通孔を通して前記第１計量室に連通する第２計量室が形成されていてもよい。
【００１０】
この場合、弾性変形可能な塗布部材が有頂筒状に形成され、その頂壁にスリットが形成されているため、塗布部材が被塗布部に押し付けられている場合に、筒状の壁を含めて塗布部材が全体として弾性変形可能となり、スリットが拡開する大きさおよびスリットからの内容物の吐出量を調整しやすくすることができる。
また、例えば人体の頭皮や皮膚などの被塗布部に塗布部材を押し付ける際に、筒状の壁を含む塗布部材全体が弾性変形するため、より一層快適で心地よい塗布を行うことができる。
【００１１】
また、前記塗布部材の外周縁部を前記計量筒部材に対して係止する係止部材と、前記塗布部材を開閉する蓋体と、を備え、前記蓋体は、前記係止部材に当接して前記塗布部材を囲繞するシール筒を備えていてもよい。
【００１２】
この場合、蓋体のシール筒が、弾性変形可能な塗布部材ではなく、塗布部材を計量筒部材に係止する係止部材に当接するので、スリットの外部に対する密閉性を確実に確保することができる。
【発明の効果】
【００１３】
本発明によれば、内容物を吐出するときに吐出量を調整することができ、塗布位置と計量位置との識別が容易に行える計量塗布容器を提供することができる。
【図面の簡単な説明】
【００１４】
【図１】計量塗布容器の縦断面図である。
【図２】蓋体を取り外した後の計量塗布容器の縦断面図である。
【図３】図２の計量塗布容器の上面図である。
【図４】計量塗布容器を倒立姿勢にして、塗布部材を被塗布部に押し付けて内容物を塗布する作用を説明する縦断面図である。
【発明を実施するための形態】
【００１５】
以下、本発明の一実施形態に係る計量塗布容器１について、図面を参照して説明する。
この計量塗布容器１には、例えば人体の頭皮や皮膚等の被塗布部Ｓ（図４参照）に塗布される育毛剤や薬液等の、液状の内容物が収容される。
【００１６】
図１に示すように、計量塗布容器１は、有底筒状に形成され、内部に内容物が収容される容器本体２と、容器本体２の口部２ａに装着され、容器本体２内に連通する連通孔４ｂが形成された中栓部材４と、連通孔４ｂを通して容器本体２内に連通する第１計量室６ａを、中栓部材４との間に形成するとともに、頂部７ａに第１計量室６ａに連通する貫通孔７ｂが形成された計量筒部材７と、貫通孔７ｂを閉塞する弾性変形可能な塗布部材３と、塗布部材３と計量筒部材７とを係止する有頂円筒状に形成された係止部材５と、有頂筒状に形成された蓋体１０と、を備えている。
【００１７】
図１において、中栓部材４、計量筒部材７、塗布部材３および蓋体１０は有頂筒状に形成され、それぞれの中心軸線が容器本体２の中心軸と同軸に配置されている。以下、容器本体２の中心軸を容器軸Ｏといい、容器軸Ｏに沿う方向を上下方向という。また上下方向のうち、容器本体２の底部から口部２ａ側へ向かう方向を上方といい、容器本体２の口部２ａから底部側へ向かう方向を下方という。また、上下方向から見た平面視で、容器軸Ｏに直交する方向を径方向といい、容器軸Ｏ回りに周回する方向を周方向という。
【００１８】
容器本体２の口部２ａの下方には口部２ａよりも外径および内径が大きい中筒部２ｂが形成され、中筒部２ｂの下方には中筒部２ｂよりも外径および内径が大きい胴部２ｄが形成されている。口部２ａおよび中筒部２ｂの外周面には、雄ねじ部が形成されている。
【００１９】
中栓部材４は、２段の円筒状に形成されており、上面視において円形状に形成された頂壁部４ａと、頂壁部４ａの外周縁から下方に向かって延びる小筒部４ｃと、小筒部４ｃの下端開口縁から径方向の外側に向かって環状に延びる段部４ｄと、段部４ｄの外周縁から下方に向かって延びる大筒部４ｅと、を備える。
連通孔４ｂは頂壁部４ａの径方向における中央部に形成され、頂壁部４ａを上下方向に貫通している。大筒部４ｅは、容器本体２の口部２ａに対して、該口部２ａの径方向外側に装着される。大筒部４ｅの内周面には雌ねじ部が形成されており、該雌ねじ部は、口部２ａの雄ねじ部に螺着する。これにより、中栓部材４の容器本体２に対する上下動が規制される。
【００２０】
段部４ｄの上面には上方に向けて突出する囲繞筒部４ｆが形成されており、囲繞筒部４ｆは小筒部４ｃを径方向の外側から囲繞している。段部４ｄの下面には下方に向けて突出する嵌合筒部４ｇが形成されており、嵌合筒部４ｇの外径は小筒部４ｃの外径よりも大きく囲繞筒部４ｆの外径よりも小さい。嵌合筒部４ｇは容器本体２の口部２ａの内側に嵌合している。
囲繞筒部４ｆの外周面のうち上部には、径方向の外側に向けて突出する第１係止突起が形成され、第１係止突起の下方には径方向の外側に向けて突出する第２係止突起が形成されている。なお、第１係止突起が囲繞筒部４ｆの外周面から突出する量は、第２係止突起が囲繞筒部４ｆの外周面から突出する量よりも大きい。
【００２１】
計量筒部材７は、上面視において円形状に形成された頂部７ａと、頂部７ａの外周縁から下方に向かって延びる内筒部７ｄと、頂部７ａの下面のうち径方向の中央部から下方に向けて突出する栓体部７ｃと、頂部７ａの上面から上方に向けて突出する突出筒部７ｆと、内筒部７ｄにおける外周面のうち上下方向の中間部から径方向の外側に向けて突出して下方に延びる有頂筒状の外筒部７ｅと、を備える。
頂部７ａの外周縁には、径方向の外側に向けて突出する環状の被係合部７ｇが形成されている。外筒部７ｅの上端部には、径方向の外側に向けて突出する鍔部７ｈが形成されている。外筒部７ｅの内周面のうち下端部には、径方向の内側に向けて突出する被係止突起７ｉが形成されている。
【００２２】
計量筒部材７の栓体部７ｃは円柱状に形成されており、中栓部材４の連通孔４ｂに着脱自在に嵌合されることで、この連通孔４ｂを閉塞する。
被係止突起７ｉの内径は中栓部材４の第１係止突起および第２係止突起の外径よりも小さい。
内筒部７ｄおよび外筒部７ｅは中栓部材４の囲繞筒部４ｆを径方向における両側から挟んでおり、この挟んだ状態のまま上下方向にスライド可能である。これにより、計量筒部材７は容器本体２および中栓部材４に対して上下動自在となっており、図１に示すように栓体部７ｃが連通孔４ｂに挿入されて第１計量室６ａと連通孔４ｂとの連通を遮断する塗布位置と、図２に示すように栓体部７ｃが連通孔４ｂから離間して第１計量室６ａと連通孔４ｂとを連通させる計量位置と、の間を移動する。計量筒部材７がとりうる位置のうち、塗布位置は計量位置よりも下側に位置する。計量筒部材７が計量位置に位置するとき、被係止突起７ｉは上下方向において中栓部材４の第１係止突起と第２係止突起との間に位置する。
【００２３】
塗布部材３は、計量筒部材７の上方に配設されている。
塗布部材３は、例えばニトリルゴム、ブチルゴム、シリコンゴム、エラストマー等の軟材質で形成されており、外力に応じて弾性変形可能である。塗布部材３は上面視において円形状に形成された頂壁３ａと、頂壁３ａの外周縁から下方に向かって延びる筒体部３ｂと、筒体部３ｂの下端開口縁から径方向の外側に向けて突出する環状の外縁部３ｅと、を備える。外縁部３ｅは、塗布部材３における外周縁部に位置している。
計量筒部材７の頂部７ａおよび突出筒部７ｆと、塗布部材３の頂壁３ａおよび筒体部３ｂと、により、第２計量室６ｂが形成されている。
外縁部３ｅの上面のうち、外縁部３ｅの外周縁部には、上方に向けて突出する環状の被係止部３ｆが形成されている。
【００２４】
図３に示すように、塗布部材３の頂壁３ａには、その径方向の中央部に配置された内突起３ｃと、外周縁部に配置された外突起３ｇと、頂壁３ａの一部を上下方向にわたって貫通するスリット３ｄと、が形成されている。
スリット３ｄは、径方向において内突起３ｃと外突起３ｇとの間に配設されている。外突起３ｇの周方向における長さは、内突起３ｃの直径よりも大きい。外突起３ｇの径方向における幅は、内突起３ｃの直径よりも小さい。また、図１に示すように、内突起３ｃにおける上端部の位置は、上下方向において外突起３ｇの上端部の位置よりも上方に位置している。
本実施形態におけるスリット３ｄは、平面視において内突起３ｃを径方向の外側から囲う１対の円弧状に形成されている。なお、スリット３ｄはこの形状に限られず、平面視において径方向の中央部に十字状や一文字状に形成されていてもよい。また、スリット３ｄの個数および配置される位置を適宜変更してもよい。
【００２５】
係止部材５の係止頂壁５ａは上面視において円形状に形成されており、図１に示すように、径方向における中央部には係止頂壁５ａを上下方向に貫通する貫通孔５ｂが形成されている。係止頂壁５ａの下面のうち貫通孔５ｂの開口周縁部には、下方に向けて突出する環状の係止突起５ｄが形成されている。係止頂壁５ａの外周縁部には下方に向けて突出する係止筒部５ｃが形成されている。係止筒部５ｃの内周面のうち下端部には、径方向の内側に向けて突出する環状の係合部５ｅが形成されている。係合部５ｅの内径は計量筒部材７の被係合部７ｇにおける外径よりも小さい。
【００２６】
貫通孔５ｂの内側には塗布部材３が挿通されている。係止突起５ｄと、係止頂壁５ａと、係止筒部５ｃと、は塗布部材３の外縁部３ｅおよび被係止部３ｆを上方から覆うように、塗布部材３に密接している。また、係止筒部５ｃの下端縁は計量筒部材７の外筒部７ｅにおける上面に当接するとともに、係止部材５の係合部５ｅと計量筒部材７の被係合部７ｇとが互いに係合している。このように、係止部材５は塗布部材３の外縁部３ｅを計量筒部材７に対して係止しているため、塗布部材３と、係止部材５と、計量筒部材７と、は一体として上下方向に移動する。
【００２７】
蓋体１０は、容器本体２の口部２ａと、中栓部材４と、計量筒部材７と、塗布部材３と、を覆うように、容器本体２の上方に着脱可能に配設され、塗布部材３の容器体外部への露出を開閉する。
蓋体１０は、上面視において円形状であって径方向における中央部が上方に凸の曲面状に形成された頂壁部１０ａと、頂壁部１０ａの外周縁から下方に向けて延びる上筒部１０ｂと、上筒部１０ｂの下端部から下方に向けて延びる、上筒部１０ｂよりも外径の大きい中筒部１０ｃと、中筒部１０ｃの下端部から下方に向けて延びる、中筒部１０ｃよりも外径の大きい下筒部１０ｄと、下筒部１０ｄの内側に形成され、その内周面に中筒部２ｂの雄ねじ部と螺着する雌ねじ部が形成された螺着筒部１０ｆと、頂壁部１０ａの下面から下方に向けて突出するシール筒１０ｅと、上筒部１０ｂの内周面のうち、上下方向における中間部から内側に向けて突出する引き上げ突起１０ｇと、を備える。
シール筒１０ｅは塗布部材３を囲繞し、シール筒１０ｅの下端縁は、係止部材５の係止頂壁５ａにおける上面に当接している。これにより、頂壁部１０ａおよびシール筒１０ｅは塗布部材３のスリット３ｄを上方から閉塞している。
引き上げ突起１０ｇの内径は計量筒部材７の鍔部７ｈにおける外径よりも小さく、蓋体１０が容器本体２に装着された状態において、引き上げ突起１０ｇは鍔部７ｈよりも下方に位置している。
【００２８】
以上説明した本実施形態の計量塗布容器１の内容物を計量し塗布するには、まず、容器本体２に対して蓋体１０を容器軸Ｏ回りに回転させる。すると、蓋体１０の雌ねじ部と中筒部２ｂの雄ねじ部とが螺合して、蓋体１０が容器本体２に対して上方に移動する。この際、蓋体１０の引き上げ突起１０ｇが計量筒部材７の鍔部７ｈに下方から当接して押し上げ、計量筒部材７および塗布部材３を上方に移動させる。さらに蓋体１０を上方に移動させると、計量筒部材７の被係止突起７ｉが中栓部材４の第２係止突起を上方に向けて乗り越え、第２係止突起と第１係止突起との間に到達する。これにより、計量筒部材７が計量位置に到達するとともに、被係止突起７ｉが第１係止突起に係止されて、計量筒部材７の計量位置を超えた上方への移動が規制される。なお、第１係止突起が囲繞筒部４ｆの外周面から突出する量は、第２係止突起が囲繞筒部４ｆの外周面から突出する量よりも大きいため、計量筒部材７を計量位置で保持しつつ、計量筒部材７が計量位置を超えて上方に移動するのを確実に規制することができる。
【００２９】
この状態でさらに蓋体１０を上方に移動させると、引き上げ突起１０ｇが鍔部７ｈを上方に乗り越えて、蓋体１０と計量筒部材７との係止が解除され、蓋体１０は取り外される。これは、被係止突起７ｉが第１係止突起を上方に向けて乗り越えるのに必要な力（係止力）に対して、引き上げ突起１０ｇが鍔部７ｈを上方に向けて乗り越えるのに必要な力（係止力）が小さく設定されているためである。このようにして、蓋体１０を計量筒部材７から取り外す際、計量筒部材７が塗布位置から計量位置に移動した状態で容器外部に露出される。
【００３０】
次に、正立姿勢の計量塗布容器１を倒立姿勢にして、容器本体２内から中栓部材４の連通孔４ｂを通して、第１計量室６ａおよび第２計量室６ｂに内容物を流入させる。第１計量室６ａおよび第２計量室６ｂには、所定量の内容物が収容される。そして、図４に示されるように、塗布部材３を被塗布部Ｓに押し付ける等により、塗布部材３および計量筒部材７を中栓部材４に向けて押し込んで、計量筒部材７を計量位置から塗布位置に移動させる。計量筒部材７が塗布位置に配置されると、中栓部材４の連通孔４ｂを通した第１計量室６ａと容器本体２との連通が、計量筒部材７の栓体部７ｃにより遮断されて、計量が完了する。
【００３１】
塗布部材３が被塗布部Ｓに押し付けられると、押し付け力に応じて塗布部材３の頂壁３ａ、内突起３ｃ、および筒体部３ｂが全体として弾性変形する。詳しくは、内突起３ｃが被塗布部に当接して容器本体２における底部側に押し込まれると、これに伴って筒体部３ｂが内側に倒れ込むように弾性変形し、この塗布部材３全体の弾性変形によってスリット３ｄが拡開してスリット３ｄから第１計量室６ａ内の内容物が吐出される。そして、被塗布部Ｓへの押し付け力が大きいほど、塗布部材３の弾性変形量が大きくなるため、スリット３ｄが拡開する大きさも大きくなる。従って、塗布部材３の被塗布部Ｓへの押し付け力を変化させることにより、スリット３ｄが拡開する大きさを変化させて、スリット３ｄからの内容物の吐出量を容易に調整することができる。
【００３２】
また、塗布部材３を被塗布部Ｓから離間させると、塗布部材３が復元変位することによりスリット３ｄが閉塞されて、内容物の吐出が停止する。
【００３３】
以上説明したように、本実施形態に係る計量塗布容器１によれば、第１計量室６ａに連通する貫通孔７ｂを弾性変形可能な塗布部材３が閉塞し、この塗布部材３には拡開時に貫通孔７ｂを開放吐出するスリット３ｄが形成されているため、計量筒部材７を塗布位置に位置させた状態で、被塗布部Ｓに対する塗布部材３の押し付け力を変動させることで、塗布部材３の弾性変形量を変化させてスリット３ｄが拡開する大きさおよびスリット３ｄからの内容物の吐出量を調整することが可能である。
また、この計量塗布容器１においては、計量筒部材７および塗布部材３が一体となって塗布位置および計量位置の間を上下方向に移動するため、従来のように計量室内に配設された弁部材のみを上下動させる計量塗布容器に比べて、塗布位置と計量位置との識別が容易に行える。
さらに、この計量塗布容器１においては、塗布部材３が被塗布部Ｓに押し付けられている場合に、弾性変形可能な塗布部材３に形成されたスリット３ｄが拡開して内容物が吐出されるため、塗布部材３が被塗布部Ｓから離間している間に内容物が意図せず吐出されてしまうのを抑止することができる。
さらに、塗布部材３は弾性変形可能であるため、例えば人体の頭皮や皮膚などの被塗布部に塗布部材３を押し付ける際に、押し付けにともなって被塗布部Ｓに及ぼされる衝撃や外力等が緩和されて、柔らかな塗布感触を得ることができる。これにより、塗布による不快さや心地悪さを感じることが抑えられて、快適で心地よい塗布を行うことができる。
【００３４】
また、弾性変形可能な塗布部材３が有頂筒状に形成され、その頂壁３ａにスリット３ｄが形成されているため、塗布部材３が被塗布部Ｓに押し付けられている場合に、筒体部３ｂを含めて塗布部材３が全体として弾性変形可能となり、スリット３ｄが拡開する大きさおよびスリット３ｄからの内容物の吐出量を調整しやすくすることができる。
また、例えば人体の頭皮や皮膚などの被塗布部Ｓに塗布部材３を押し付ける際に、筒体部３ｂを含む塗布部材３全体が弾性変形するため、より一層快適で心地よい塗布を行うことができる。
【００３５】
また、蓋体１０のシール筒１０ｅが、弾性変形可能な塗布部材３ではなく、塗布部材３を計量筒部材７に係止する係止部材５に当接するので、スリット３ｄの外部に対する密閉性を確実に確保することができる。
【００３６】
なお、本発明の技術的範囲は前記実施の形態に限定されるものではなく、本発明の趣旨を逸脱しない範囲において種々の変更を加えることが可能である。
【００３７】
例えば、前記実施形態では、塗布部材３は有頂筒状に形成されているが、これに限られず、例えば弾性を有する膜状に形成されていてもよい。
また、前記実施形態の計量塗布容器１は、塗布部材３の外縁部３ｅを計量筒部材７に対して係止する係止部材５を備えているが、これに限られず、塗布部材３の外縁部３ｅ以外の箇所を係止する係止部材５を採用してもよい。あるいは、係止部材５を備えずに、例えば塗布部材３と計量筒部材７とが嵌合して一体として上下動する構成を採用してもよい。
【００３８】
また、前記実施形態の計量塗布容器１は、係止部材５に当接して塗布部材３のスリット３ｄを閉塞する蓋体１０を備えているが、これに限られず、蓋体１０は係止部材５に当接していなくてもよい。あるいは、蓋体１０を備えずに、例えば計量筒部材７又は塗布部材３を手で掴んで計量筒部材７を塗布位置から計量位置へと移動させる構成を採用してもよい。
【００３９】
また、蓋体１０を容器本体２から取り外す際に、不意に中栓部材４が容器本体２に対して回転してしまうのを防止するため、容器本体２の口部２ａに形成された雄ねじ部または容器本体２の中筒部２ｂに形成された雄ねじ部のいずれか一方を逆ねじに形成し、これに対応する中栓部材４の雌ねじ部または蓋体１０の雌ねじ部のいずれか一方を逆ねじに形成してもよい。あるいは、容器本体２と中栓部材４との間に、これらの相対的な回転を規制するまわり止め機構を設けてもよく、中栓部材４と容器本体２とを、螺着ではなくアンダーカット嵌合などにより固定してもよい。
【００４０】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４１】
１…計量塗布容器、２…容器本体、２ａ…口部、３…塗布部材、３ａ…頂壁、３ｄ…スリット、４…中栓部材、４ｂ…連通孔、５…係止部材、６ａ…第１計量室、６ｂ…第２計量室、７…計量筒部材、７ｃ…栓体部、１０…蓋体、１０ｅ…シール筒
【図１】
0006564721.tif 000002
【図２】
0006564721.tif 000003
【図３】
0006564721.tif 000004
【図４】
0006564721.tif 000005